(57)【特許請求の範囲】
【請求項１】
冷却水空間（２５ａ）を有する長尺状の第１のタンク（２１）と第２のタンク（２３）とを所定間隔を置いて対向配置するとともに、前記第１のタンク（２１）と前記第２のタンク（２３）との間に放熱フィン（３９）とチューブ（４０）とが交互に積層される熱交換部（３７）を配置してなるラジエータにおいて、
前記第１のタンク（２１）内に、前記冷却水空間（２５ａ）に隣接して、押出成形によりリザーブ空間（２５ｂ）を一体形成するとともに、前記冷却水空間（２５ａ）と前記リザーブ空間（２５ｂ）との間に、前記冷却水空間（２５ａ）と前記リザーブ空間（２５ｂ）とを接続する冷却水流路（２５ｃ）を、前記冷却水空間（２５ａ）の長尺方向に沿って前記押出成形により一体形成し、前記第１のタンク（２１）の上端に、前記冷却水空間（２５ａ）の開口端（２５ｅ）および前記冷却水流路（２５ｃ）の流通開口端（２５ｆ）を露出し、
前記冷却水空間（２５ａ）および前記冷却水流路（２５ｃ）の間に冷却水を相互に流すための空間を有するフィラーネック部（４１）を、前記冷却水空間（２５ａ）の前記開口端（２５ｅ）および前記冷却水流路（２５ｃ）の前記流通開口端（２５ｆ）を覆って配置するとともに、前記冷却水空間（２５ａ）の開口端（２５ｅ）に、前記長尺方向に軸長方向を合わせてラジエータキャップ（４３）を配置し、前記ラジエータキャップ（４３）の底部（４３ａ）を前記冷却水空間（２５ａ）の開口端（２５ｅ）に密着固定してなることを特徴とするラジエータ。
【請求項２】
請求項１記載のラジエータにおいて、
前記冷却水流路（２５ｃ）を横断面細長形状に形成してなることを特徴とするラジエータ。
【請求項３】
請求項１または請求項２記載のラジエータにおいて、
前記第１のタンク（２１）はアルミニウム合金製であることを特徴とするラジエータ。
【発明の詳細な説明】
【０００１】
【発明の属する技術分野】
本発明は、自動車等のエンジン冷却用のラジエータに関する。
【０００２】
【従来の技術】
従来、自動車等のエンジン冷却用のラジエータとして、例えば、実開平３−３０５２７号公報に開示されるものが知られている。
図７および図８は、この公報に開示されるラジエータを示すもので、このラジエータでは、熱交換部１の一端に、冷却水空間３を有する樹脂製のタンク５が配置されている。
【０００３】
このタンク５の外側壁には冷却水流路５ａが形成され、この冷却水流路５ａの外側には、タンク５を覆って、容器形状のリザーブタンク７が配置されている。
タンク５の上端には、フィラーネック部５ｂが形成されている。
このフィラーネック部５ｂの内側には、環状突部５ｃが形成され、この環状突部５ｃにラジエータキャップ９が密着固定されている。
【０００４】
ラジエータキャップ９には、圧力調整弁９ａおよび負圧弁９ｂが形成されている。
また、冷却水流路５ａの一端が、フィラーネック部５ｂの環状突部５ｃの外側に開口され、リザーブタンク７に向けて水平に延在され、さらに、タンク５の樹脂内で折曲され、タンク５に沿ってリザーブタンク７の下方まで延在されている。
【０００５】
上述したラジエータでは、冷却水が温度上昇により膨脹すると、ラジエータキャップ９の圧力調整弁９ａが開き、冷却水空間３内の冷却水がフィラーネック部５ｂに流入され、冷却水流路５ａを通りリザーブタンク７に流入される。
また、冷却水が温度降下により収縮すると、負圧弁９ｂが開き、リザーブタンク７内の冷却水が冷却水流路５ａを通って、タンク５内に流入される。
【０００６】
【発明が解決しようとする課題】
しかしながら、このような従来のラジエータでは、冷却水流路５ａの一端をフィラーネック部５ｂの環状突部５ｃの直近に開口し、冷却水流路５ａをタンク５の樹脂内で折曲してリザーブタンク７の下方まで延在しているため、冷却水流路５ａの形状が複雑化し、タンク５を樹脂成形した後、冷却水流路５ａの環状突部５ｃ側を切削加工しなければならないという問題があった。
【０００７】
また、冷却水流路５ａの他端を容器形状のリザーブタンク７内に開口しているため、タンク５とリザーブタンク７とを一体形成することができず、部品コストおよび組立コストが増大するという問題があった。
さらに、フィラーネック部５ｂの環状突部５ｃを樹脂により形成しているため、高温，高圧の冷却水が常時接することにより、環状突部５ｃが変形する虞があり、変形した場合には、環状突部５ｃとラジエータキャップ９との密着状態を維持できなくなり、圧力調整弁９ａおよび負圧弁９ｂが正常に作動しなくなるという問題があった。
【０００８】
本発明は、かかる従来の問題点を解決するためになされたもので、簡易な構造で確実に、冷却水の膨脹，収縮に対する処理を行うことができるラジエータを提供することを目的とする。
【０００９】
【課題を解決するための手段】
請求項１のラジエータは、冷却水空間を有する長尺状の第１のタンクと第２のタンクとを所定間隔を置いて対向配置するとともに、前記第１のタンクと前記第２のタンクとの間に放熱フィンとチューブとが交互に積層される熱交換部を配置してなるラジエータにおいて、前記第１のタンク内に、前記冷却水空間に隣接して、押出成形によりリザーブ空間を一体形成するとともに、前記冷却水空間と前記リザーブ空間との間に、前記冷却水空間と前記リザーブ空間とを接続する冷却水流路を、前記冷却水空間の長尺方向に沿って前記押出成形により一体形成し、前記第１のタンクの上端に、前記冷却水空間の開口端および前記冷却水流路の流通開口端を露出し、前記冷却水空間および前記冷却水流路の間に冷却水を相互に流すための空間を有するフィラーネック部を、前記冷却水空間の前記開口端および前記冷却水流路の前記流通開口端を覆って配置するとともに、前記冷却水空間の開口端に、前記長尺方向に軸長方向を合わせてラジエータキャップを配置し、前記ラジエータキャップの底部を前記冷却水空間の開口端に密着固定してなることを特徴とする。
【００１０】
請求項２のラジエータは、請求項１記載のラジエータにおいて、前記冷却水流路を横断面細長形状に形成してなることを特徴とする。
【００１１】
請求項３のラジエータは、請求項１または請求項２記載のラジエータにおいて、前記第１のタンクはアルミニウム合金製であることを特徴とする。
【００１２】
（作用）
請求項１のラジエータでは、押出成形により、第１のタンク内に、第１のタンクの長尺方向に沿って、容易に冷却水空間およびリザーブ空間，冷却水流路が一体形成される。
【００１３】
また、第１のタンクの上端に配置されるフィラーネック部の内側に、冷却水流路の流通開口端と冷却水空間の開口端とが形成されるため、容易に直線形状の冷却水流路が形成され、また、ラジエータキャップの底部が開口端に密着固定される。
請求項２のラジエータでは、冷却水流路が横断面細長形状に形成されて断面積が大きくされ、冷却水の冷却水流路への流通量が増大される。
【００１４】
このため、冷却水の膨脹，収縮に合わせ、冷却水が冷却水空間とリザーブ空間との間に迅速に流通される。
請求項３のラジエータでは、第１のタンクがアルミニウム合金で形成されるため、高温，高圧の冷却水に長期間接することによる第１のタンクの上端に開口される開口部の変形が防止され、作動不良を起こすことなく冷却水が冷却水空間とリザーブ空間との間を流通される。
【００１５】
【発明の実施の形態】
以下、本発明の実施形態を図面を用いて詳細に説明する。
図１ないし図３は、本発明のラジエータの一実施形態（請求項１ないし請求項３に対応する）を示しており、符号２１，２３は、例えば、アルミニウム合金からなる長尺状の第１および第２のタンクである。
【００１６】
第１のタンク２１は、タンク本体２５およびこのタンク本体２５の長尺方向の両端に固定される上蓋板２７，下蓋板２９により形成されている。
第１および第２のタンク２１，２３の側壁には、冷却水３１の出口パイプ３３および入口パイプ３５が接続されている。
第１および第２のタンク２１，２３の間には、例えば、アルミニウム合金からなる熱交換部３７が配置されている。
【００１７】
この熱交換部３７は、放熱フィン３９とチューブ４０とが交互に積層され、チューブ４０の左右両端が、第１および第２のタンク２１，２３内に挿通されている。
また、タンク本体２５内の熱交換部３７側には、このタンク本体２５の長尺方向に貫通する円柱形状の冷却水空間２５ａが形成されている。
【００１８】
タンク本体２５内の熱交換部３７と反対側には、タンク本体２５の長尺方向に貫通するリザーブ空間２５ｂが形成されている。
このリザーブ空間２５ｂと冷却水空間２５ａの間には、冷却水空間２５ａに隣接する冷却水流路２５ｃが形成されている。
この冷却水流路２５ｃは、冷却水空間２５ａの外周に沿って、横断面細長円弧形状に形成されている。
【００１９】
冷却水流路２５ｃの上端は、タンク本体２５の上端に貫通され、冷却水流路２５ｃの下端には、リザーブ空間２５ｂ側に開放する冷却水３１の流通用の切欠部２５ｄが形成されている。
【００２０】
上蓋板２７の冷却水空間２５ａの上端の開口端２５ｅおよび冷却水流路２５ｃの上端の流通開口端２５ｆの上方には、この開口端２５ｅおよび流通開口端２５ｆと同一形状の開口部２７ａ，２７ｂが形成されている。
上蓋板２７のリザーブ空間２５ｂの上方には、空気穴２７ｃが形成されている。
また、上蓋板２７には、フィラーネック部４１が配置され、このフィラーネック部４１の内側に開口部２７ａ，２７ｂが位置されている。
【００２１】
フィラーネック部４１には、ラジエータキャップ４３が配置され、このラジエータキャップ４３の底部４３ａが開口部２７ａに密着されている。
ラジエータキャップ４３には、圧力調整弁４３ｂおよび負圧弁４３ｃが形成されている。
上述したラジエータでは、先ず、押出成形により、冷却水空間２５ａおよびリザーブ空間２５ｂ，冷却水流路２５ｃを有するタンク本体２５が一体形成され、このタンク本体２５に、上蓋板２７，下蓋板２９がろう付けされ、第１のタンク２１が製造される。
【００２２】
また、第１のタンクのろう付けと同時に、この第１のタンク２１に、フィラーネック部４１，出口パイプ３３および熱交換部３７，第２のタンク２３，入口パイプ３５がろう付けされ、ラジエータが製造される。
上述したラジエータでは、以下に述べるようにして、ラジエータ内に冷却水３１が流通される。
【００２３】
すなわち、図４に示すように、先ず、エンジンにより昇温された冷却水３１が、入口パイプ３５から第２のタンク２３内に流入され、熱交換部３７のチューブ４０内を通り、熱交換される。
熱交換され冷却された冷却水３１は、タンク本体２５の冷却水空間２５ａに流入され、出口パイプ３３から排出される。
【００２４】
また、冷却水３１の昇温により、冷却水３１が膨脹した際には、図５に示すように、冷却水３１の膨脹により生じる圧力により、ラジエータキャップ４３の圧力調整弁４３ｂが上方へ移動され、ラジエータキャップ４３と開口部２７ａとの間に隙間が生じる。
そして、この隙間を通りフィラーネック部４１内に溢れた冷却水３１が、冷却水流路２５ｃを通りリザーブ空間２５ｂに流入される。
【００２５】
さらに、冷却水３１の降温により、冷却水３１が収縮した際には、図６に示すように、冷却水空間２５ａに発生する負圧により、負圧弁４３ｃが開かれ、リザーブ空間２５ｂの冷却水３１が冷却水流路２５ｃを逆流し、フィラーネック部４１から冷却水空間２５ａに流入される。
以上のように構成されたラジエータでは、 押出成形により、冷却水空間２５ａおよびリザーブ空間２５ｂ，冷却水流路２５ｃを有するタンク本体２５を一体形成したので、冷却水３１の膨脹，収縮の際の処理機能を第１のタンク２１内に容易に設けることができ、簡易な構造で確実に、冷却水３１の膨脹，収縮の処理を行うことができる。
【００２６】
また、第１のタンク２１の上端に固定されるフィラーネック部４１の内側に、タンク本体２５の冷却水流路２５ｃの流通開口端２５ｆを形成したので、冷却水流路２５ｃを直線形状に形成することができ、タンク本体２５を押出成形により容易に形成することができる。
そして、第１のタンク２１の上端に配置されるフィラーネック部４１の内側に、タンク本体２５の冷却水空間２５ａの開口端２５ｅを形成したので、複雑な加工をすることなく、容易にラジエータキャップ４３の底部４３ａを開口端２５ｅに密着固定することができる。
【００２７】
さらに、冷却水流路２５ｃを横断面細長円弧形状に形成することで断面積を大きくしたので、冷却水３１の冷却水流路２５ｃへの流通量を増大することができ、冷却水３１の膨脹，収縮に合わせ、冷却水３１を冷却水空間２５ａとリザーブ空間２５ｂとの間に迅速に流通することができる。
【００２８】
そして、第１のタンク２１をアルミニウム合金で形成したので、高温，高圧の冷却水３１に長期間接することによる第１のタンク２１の上端に開口する開口部２７ａの変形を防止することができ、作動不良を起こすことなく冷却水３１を冷却水空間２５ａとリザーブ空間２５ｂとの間に流通することができる。
【００２９】
【発明の効果】
請求項１のラジエータでは、押出成形により、冷却水空間およびリザーブ空間，冷却水流路を有する第１のタンクを一体形成したので、冷却水の膨脹，収縮の際の処理機能を第１のタンク内に容易に設けることができ、簡易な構造で確実に、冷却水の膨脹，収縮の処理を行うことができる。
【００３０】
また、第１のタンクの上端に配置されるフィラーネック部の内側に、冷却水流路の流通開口端を形成したので、冷却水流路を直線形状にすることができ、第１のタンクを押出成形により容易に形成することができる。
また、第１のタンクの上端に配置されるフィラーネック部の内側に、冷却水空間の開口端を形成したので、複雑な加工をすることなく、容易にラジエータキャップの底部を開口端に密着固定することができる。
【００３１】
請求項２のラジエータでは、冷却水流路を横断面細長形状に形成し、断面積を大きくしたので、冷却水の冷却水流路への流通量を増大することができ、冷却水の膨脹，収縮に合わせ、冷却水を冷却水空間とリザーブ空間との間に迅速に流通することができる。
請求項３のラジエータでは、第１のタンクをアルミニウム合金で形成したので、高温，高圧の冷却水に長期間接することによる第１のタンクの上端に開口する開口部の変形を防止することができ、作動不良を起こすことなく冷却水を冷却水空間とリザーブ空間との間に流通することができる。
【図面の簡単な説明】
【図１】本発明の一実施形態を示す分解斜視図である。
【図２】図１の断面図である。
【図３】図１の要部の詳細を示す断面図である。
【図４】通常における冷却水の流通状態を示す断面図である。
【図５】冷却水が冷却水空間からリザーブ空間へ流入する状態を示す断面図である。
【図６】冷却水がリザーブ空間から冷却水空間へ流入する状態を示す断面図である。
【図７】従来のラジエータを示す断面図である。
【図８】図７の分解斜視図である。
【符号の説明】
２１  第１のタンク
２３  第２のタンク
２５ａ  冷却水空間
２５ｂ  リザーブ空間
２５ｃ  冷却水流路
２５ｅ  開口端
２５ｆ  流通開口端
３７  熱交換部
３９  放熱フィン
４０  チューブ
４１  フィラーネック部
４３  ラジエータキャップ
４３ａ  底部
【図１】
0003810883.tif 000002
【図２】
0003810883.tif 000003
【図３】
0003810883.tif 000004
【図４】
0003810883.tif 000005
【図５】
0003810883.tif 000006
【図６】
0003810883.tif 000007
【図７】
0003810883.tif 000008
【図８】
0003810883.tif 000009